【誤訳訂正書】
【提出日】平成25年9月18日(2013.9.18)
【誤訳訂正１】
【訂正対象書類名】特許請求の範囲
【訂正対象項目名】全文
【訂正方法】変更
【訂正の内容】
【特許請求の範囲】
【請求項１】
無線通信のための方法であって、
異種の技術の信号を抑制または送信するために、１または複数のデータ・リソース・ブロックにおける複数のデータ・リソース要素のうちのパンクチャされたセットを決定することと、
前記複数のデータ・リソース要素のうちのパンクチャされたセットに少なくとも部分的に基づいて、前記複数のデータ・リソース要素の一部を、１または複数のデバイスへ割り当てることと、
前記複数のデータ・リソース要素のうちのパンクチャされたセットに少なくとも部分的に基づいて、前記複数のデータ・リソース要素の一部においてデータを符号化するための変調および符号化スキーム（ＭＣＳ）を選択することと、
前記複数のデータ・リソース要素にマップされた１または複数のコードブロックの期待されるパフォーマンスを計算することと
を備え、
前記ＭＣＳを選択することはさらに、前記期待されたパフォーマンスに少なくとも部分的に基づき、
前記期待されるパフォーマンスを計算することはさらに、前記ＭＣＳを用いて前記１または複数のコードブロックの期待される誤り率を決定することに少なくとも部分的に基づく、方法。
【請求項２】
１または複数のコードブロックのうち、前記複数のデータ・リソース要素のうちのパンクチャされたセットのうちの最も大きな部分を含むコードブロックを決定することをさらに備え、
前記期待されるパフォーマンスを計算することは、前記コードブロックの期待されるパフォーマンスを計算することを含む、請求項１に記載の方法。
【請求項３】
前記複数のデータ・リソース要素を割り当てることはさらに、前記１または複数のデバイスのランク、サービス品質、ジオメトリ、または、選択された変調および符号化スキーム（ＭＣＳ）に少なくとも部分的に基づく、請求項１に記載の方法。
【請求項４】
前記複数のデータ・リソース要素を割り当てることはさらに、前記１または複数のデバイスが、前記異種の技術のチャネル状態情報基準信号（ＣＳＩ−ＲＳ）を処理できるかに少なくとも部分的に基づく、請求項１に記載の方法。
【請求項５】
前記複数のデータ・リソース要素のうちのパンクチャされたセットは、前記複数のデータ・リソース要素にわたって実質的に等しく分散される、請求項１に記載の方法。
【請求項６】
前記１または複数のデバイスに関連するデータを符号化するために選択された変調および符号化スキーム（ＭＣＳ）に少なくとも部分的に基づいて、前記複数のデータ・リソース要素のうちのパンクチャされたセットを選択すること、をさらに備える請求項１に記載の方法。
【請求項７】
前記選択することは、所与の期間中、動的に実行される、請求項６に記載の方法。
【請求項８】
無線通信のための装置であって、
異種の技術の信号を抑制または送信するために、１または複数のデータ・リソース・ブロックにおける複数のデータ・リソース要素のパンクチャされたセットを決定し、
前記複数のデータ・リソース要素のうちのパンクチャされたセットに少なくとも部分的に基づいて、前記複数のデータ・リソース要素の一部を、１または複数のデバイスへ割り当て、
前記複数のデータ・リソース要素のうちのパンクチャされたセットに少なくとも部分的に基づいて、前記複数のデータ・リソース要素の一部においてデータを符号化するための変調および符号化スキーム（ＭＣＳ）を選択し、
前記複数のデータ・リソース要素にマップされた１または複数のコードブロックの期待されるパフォーマンスを決定し、
前記期待されたパフォーマンスに少なくとも部分的に基づいて前記ＭＣＳを選択し、
前記ＭＣＳを用いて前記１または複数のコードブロックの期待される誤り率を決定することに少なくとも部分的に基づいて、前記期待されるパフォーマンスを決定する、
ように構成された少なくとも１つのプロセッサを備える、装置。
【請求項９】
前記少なくとも１つのプロセッサはさらに、前記１または複数のコードブロックのうち、前記複数のデータ・リソース要素のパンクチャされたセットのうちの最も大きな部分を含むコードブロックを決定するように構成され、
前記少なくとも１つのプロセッサは、少なくとも、前記コードブロックの期待されるパフォーマンスを決定することによって、前記期待されるパフォーマンスを決定する、請求項８に記載の装置。
【請求項１０】
前記少なくとも１つのプロセッサはさらに、前記１または複数のデバイスのランク、サービス品質、ジオメトリ、または、選択された変調および符号化スキーム（ＭＣＳ）に少なくとも部分的に基づいて、前記複数のデータ・リソース要素を割り当てる、請求項８に記載の装置。
【請求項１１】
前記少なくとも１つのプロセッサはさらに、前記１または複数のデバイスが、前記異種の技術のチャネル状態情報基準信号（ＣＳＩ−ＲＳ）を処理できるかに少なくとも部分的に基づいて、前記複数のデータ・リソース要素を割り当てる、請求項８に記載の装置。
【請求項１２】
前記複数のデータ・リソース要素のうちのパンクチャされたセットは、前記複数のデータ・リソース要素にわたって実質的に等しく分散される、請求項８に記載の装置。
【請求項１３】
前記少なくとも１つのプロセッサはさらに、前記１または複数のデバイスに関連するデータを符号化するために選択された変調および符号化スキーム（ＭＣＳ）に少なくとも部分的に基づいて、前記複数のデータ・リソース要素のうちのパンクチャされたセットを選択するように構成された、請求項８に記載の装置。
【請求項１４】
前記少なくとも１つのプロセッサは、前記複数のデータ・リソース要素のパンクチャされたセットを動的に選択する、請求項１３に記載の装置。
【請求項１５】
無線通信のための装置であって、
異種の技術の信号を抑制または送信するために、１または複数のデータ・リソース・ブロックにおける複数のデータ・リソース要素のうちのパンクチャされたセットを決定する
手段と、
前記複数のデータ・リソース要素のうちのパンクチャされたセットに少なくとも部分的に基づいて、前記複数のデータ・リソース要素の一部を、１または複数のデバイスへ割り当てる手段と、
前記複数のデータ・リソース要素のうちのパンクチャされたセットに少なくとも部分的に基づいて、前記複数のデータ・リソース要素の一部においてデータを符号化するための変調および符号化スキーム（ＭＣＳ）を選択する手段と、
前記複数のデータ・リソース要素にマップされた１または複数のコードブロックの期待されるパフォーマンスを計算する手段と
を備え、
前記選択する手段は、前記期待されたパフォーマンスに少なくとも部分的に基づいて前記ＭＣＳを選択し、
前記計算する手段はさらに、前記ＭＣＳを用いて前記１または複数のコードブロックの期待される誤り率を決定することに少なくとも部分的に基づいて、前記期待されるパフォーマンスを計算する、
装置。
【請求項１６】
１または複数のコードブロックのうち、前記複数のデータ・リソース要素のパンクチャされたセットのうちの最も大きな部分を含むコードブロックを決定する手段をさらに備え、
前記計算する手段は、前記コードブロックの期待されるパフォーマンスを計算する、請求項１５に記載の装置。
【請求項１７】
前記割り当てる手段はさらに、前記１または複数のデバイスのランク、サービス品質、ジオメトリ、または、選択された変調および符号化スキーム（ＭＣＳ）に少なくとも部分的に基づいて、前記複数のデータ・リソース要素を割り当てる、請求項１５に記載の装置。
【請求項１８】
前記割り当てる手段はさらに、前記１または複数のデバイスが、前記異種の技術のチャネル状態情報基準信号（ＣＳＩ−ＲＳ）を処理できるかに少なくとも部分的に基づいて、前記複数のデータ・リソース要素を割り当てる、請求項１５に記載の装置。
【請求項１９】
前記複数のデータ・リソース要素のうちのパンクチャされたセットは、前記複数のデータ・リソースにわたって実質的に等しく分散される、請求項１５に記載の装置。
【請求項２０】
前記決定する手段はさらに、前記１または複数のデバイスに関連するデータを符号化するために選択された変調および符号化スキーム（ＭＣＳ）に少なくとも部分的に基づいて、前記複数のデータ・リソース要素のうちのパンクチャされたセットを選択する、請求項１５に記載の装置。
【請求項２１】
前記決定する手段は、所与の期間において、前記複数のデータ・リソース要素のうちのパンクチャされたセットを動的に選択する、請求項２０に記載の装置。
【請求項２２】
少なくとも１つのコンピュータに対して、異種の技術の信号を抑制または送信するために、１または複数のデータ・リソース・ブロックにおける複数のデータ・リソース要素のうちのパンクチャされたセットを決定させるための命令群と、
前記少なくとも１つのコンピュータに対して、複数のデータ・リソース要素のうちのパンクチャされたセットに少なくとも部分的に基づいて、複数のデータ・リソース要素の一部を、１または複数のデバイスへ割り当てさせるための命令群と、
前記少なくとも１つのコンピュータに対して、前記複数のデータ・リソース要素のうちのパンクチャされたセットに少なくとも部分的に基づいて、前記複数のデータ・リソース要素の一部においてデータを符号化するための変調および符号化スキーム（ＭＣＳ）を選択させるための命令群と、
前記少なくとも１つのコンピュータに対して、前記複数のデータ・リソース要素にマップされた１または複数のコードブロックの期待されるパフォーマンスを決定させるための命令群と
を記憶したコンピュータ読取可能な記憶媒体であって、
前記少なくとも１つのコンピュータに対して選択させるための命令群はさらに、前記期待されたパフォーマンスに少なくとも部分的に基づいて前記ＭＣＳを選択し、
前記少なくとも１つのコンピュータに対して決定させるための命令群はさらに、前記ＭＣＳを用いて前記１または複数のコードブロックの期待される誤り率を決定することに少なくとも部分的に基づいて、前記期待されるパフォーマンスを決定する、
コンピュータ読取可能な記憶媒体。
【請求項２３】
前記少なくとも１つのコンピュータに対して、前記１または複数のコードブロックのうち、前記複数のデータ・リソース要素のパンクチャされたセットのうちの最も大きな部分を含むコードブロックを決定させるための命令群をさらに記憶しており、
前記少なくとも１つのコンピュータに対して決定させるための命令群は、少なくとも、前記コードブロックの期待されるパフォーマンスを決定することによって、前記期待されるパフォーマンスを決定する、請求項２２に記載のコンピュータ読取可能な記憶媒体。
【請求項２４】
前記少なくとも１つのコンピュータに対して割り当てさせるための命令群はさらに、前記１または複数のデバイスのランク、サービス品質、ジオメトリ、または、選択された変調および符号化スキーム（ＭＣＳ）に少なくとも部分的に基づいて、前記複数のデータ・リソース要素を割り当てる、請求項２２に記載のコンピュータ読取可能な記憶媒体。
【請求項２５】
前記少なくとも１つのコンピュータに対して割り当てさせるための命令群はさらに、前記１または複数のデバイスが、前記異種の技術のチャネル状態情報基準信号（ＣＳＩ−ＲＳ）を処理できるかに少なくとも部分的に基づいて、前記複数のデータ・リソース要素を割り当てる、請求項２２に記載のコンピュータ読取可能な記憶媒体。
【請求項２６】
前記複数のデータ・リソース要素のうちのパンクチャされたセットは、前記複数のデータ・リソースにわたって実質的に等しく分散される、請求項２２に記載のコンピュータ読取可能な記憶媒体。
【請求項２７】
前記少なくとも１つのコンピュータに対して、前記１または複数のデバイスに関連するデータを符号化するために選択された変調および符号化スキーム（ＭＣＳ）に少なくとも部分的に基づいて、前記複数のデータ・リソース要素のうちのパンクチャされたセットを選択させるための命令群をさらに記憶した、請求項２２に記載のコンピュータ読取可能な記憶媒体。
【請求項２８】
前記少なくとも１つのコンピュータに対して選択させるための命令群は、前記複数のデータ・リソース要素のうちのパンクチャされたセットを動的に選択する、請求項２７に記載のコンピュータ読取可能な記憶媒体。
【誤訳訂正２】
【訂正対象書類名】明細書
【訂正対象項目名】０００７
【訂正方法】変更
【訂正の内容】
【０００７】
１または複数の実施形態および対応する開示によれば、さまざまな態様が、パンクチャによって引き起こされるデータ・リソースでの喪失を最小化しながら、（例えば、異種の技術に関連する信号のような）異種の信号を用いて、データ・リソースをパンクチャすることに関連して記載されている。例えば、データ・リソースがパンクチャされ、このパンクチャに少なくとも部分的に基づいて、デバイスへ割り当てられうる。例えば、パンクチャされないリソースは、喪失をさらに少なくするために、信号を処理しないデバイス（例えば、レガシーまたは別の技術のデバイス）、一定の帯域幅要件、データ・レート要件、またはサービス品質要件を持つデバイス、一定のランクやジオメトリのデバイス等に割り当てられうる。
【誤訳訂正３】
【訂正対象書類名】明細書
【訂正対象項目名】００１８
【訂正方法】変更
【訂正の内容】
【００１８】
さらに、例えば、新たな信号を送信するために選択されたデータ・リソースのセットを考慮して、異種の信号を送信することの悪影響をさらに緩和するために、データ・リソースのセットを回避するように、１または複数のデバイスのためのデータ・リソースがスケジュールされうる。例えば、このようなデータ・リソース・スケジューリングは、新たな信号を処理することができないデバイス、一定の帯域幅要件、データ・レート要件、および／または、サービス品質（ＱｏＳ）要件を持つデバイス、一定のランクのデバイス、一定のジオメトリのデバイス等のためでありうる。さらに、例えば、割り当てられたリソースのセット、データ・リソースのうち最もパンクチャされたセットについて推定されたパフォーマンス等に少なくとも部分的に基づいて、１または複数のデバイスに関連するデータを符号化するために、変調および符号化スキーム（ＭＣＳ）が選択されうる。さらに、例において、逆に、パンクチャされたリソースで送信が生じないように、パンクチャされたリソースが抑制されうる。
【誤訳訂正４】
【訂正対象書類名】明細書
【訂正対象項目名】００２８
【訂正方法】変更
【訂正の内容】
【００２８】
別の例において、基地局１０２は、基準信号を送信するために基地局１０２によってパンクチャされるデータ・リソースを回避することに少なくとも部分的に基づいて、レガシー・デバイス１０４にリソースを割り当てうる。したがって、基準信号送信によって引き起こされるレガシー・デバイス１０４に対する悪影響は、この点においても同様に緩和されうる。さらに、例えば、基地局１０２は同様に、レガシー・デバイス１０４またはデバイス１０６の帯域幅要件、データ・レート要件、および／または、ＱｏＳ要件、これらのランクまたはジオメトリ等にしたがってパンクチャされるデータ・リソースを回避するために、レガシー・デバイス１０４またはデバイス１０６へリソースを割り当てうる。さらに、例えば、基地局１０２は、パンクチャすることに少なくとも部分的に基づいて、レガシー・デバイス１０４および／またはデバイス１０６に関連するデータを符号化するためのＭＣＳを選択しうる。したがって、例えば、基地局１０２は、（例えば、最もパンクチャされたコードブロックのためのデータ・レートを達成するために）最もパンクチャされたコードブロックの期待されるパフォーマンスを推定しうる。そして、推定されたパフォーマンスに少なくとも部分的に基づいてＭＣＳを選択しうる。さらに別の例では、レガシー・デバイス１０４またはデバイス１０６にデータが送信されないように、基地局１０２は、パンクチャされたリソースを抑制しうる。
【誤訳訂正５】
【訂正対象書類名】明細書
【訂正対象項目名】００４０
【訂正方法】変更
【訂正の内容】
【００４０】
さらに、例えば、おのおののサブフレームの一部（例えば、またはリソース・ブロック）は、レガシー・デバイス１０４および／またはその他のレガシー・デバイスとの制御データ通信のために確保されうる。ＬＴＥでは、例えば、最初のｎ個のＯＦＤＭシンボルが制御データのために確保される。ここで、０≦ｎ≦３である。さらに、ＬＴＥサブフレームのうちのいくつかのＯＦＤＭシンボルが、レガシー・デバイス１０４へ基準信号を送信するために使用されうる。したがって、例えば、制御データに関係するリソース要素は、異種の技術の信号を送信するためのリソース要素を決定する際に回避されうる。さらに、レガシー基準信号が送信されるデータ・シンボルも同様に回避されうる。この点に関して、パンクチャ構成要素２０８は、前述したように、制御データのために確保されたリソース要素をカウントしないこと、および、レガシー基準信号が送信されるシンボルを回避すること、に少なくとも部分的に基づいて、異種の技術の信号を実質的に等しく配置するためのリソース要素の数を決定しうる。
【誤訳訂正６】
【訂正対象書類名】明細書
【訂正対象項目名】００４２
【訂正方法】変更
【訂正の内容】
【００４２】
別の例において、デバイス・パラメータ決定構成要素３０２は、例えばレガシー・デバイス１０４および／またはデバイス１０６のようなデバイスに関連する１または複数のパラメータを取得しうる。例えば、１または複数のパラメータは、デバイスの帯域幅要件、データ・レート要件、またはＱｏＳ要件に関連しうる。この例において、リソース割当構成要素２０２は、パンクチャ・パターンおよび／またはこれら要件に少なくとも部分的に基づいて、デバイスにリソースを割り当てうる。例えば、リソース割当構成要素２０２は、高い帯域幅要件、データ・レート要件、またはＱｏＳ要件を持つデバイスへリソースを割り当てる際に、（例えば、パンクチャ・パターンによって示されるように）パンクチャされたリソースを回避しうる。また別の例において、デバイス・パラメータ決定構成要素３０２は、デバイスのランクまたはジオメトリや、選択されたＭＣＳ等を取得しうる。そして、リソース割当構成要素２０２は、（例えば、高いランクのデバイスへリソースを割り当てるために、パンクチャされたリソースを回避して）ランク、ジオメトリ、選択されたＭＣＳ等に基づいてリソースを同様に割り当てうる
さらに、例において、符号化構成要素２０４は、パンクチャ・パターンに少なくとも部分的に基づいて、レガシー・デバイス１０４および／またはデバイス１０６通信に関連するコードブロックを符号化するためのＭＣＳを選択しうる。１つの例において、これは、（例えば、最もパンクチャされたコードブロックのように）パンクチャされたリソース要素の最大部分を持つコードブロックにおけるパフォーマンスを推定することを含みうる。この例において、パンクチャ構成要素２０８は、パフォーマンス推定構成要素３０４へ１または複数の最もパンクチャされたコードブロックを示しうる。そして、パフォーマンス推定構成要素３０４は、パンチャのレベル（例えば、コードブロックに関連する、パンクチャされたリソース要素の数）、関連するデバイスのデータ・レート要件、ランク要件、ジオメトリ要件、またはＱｏＳ要件、関連するデバイスからレポートされた履歴チャネル情報等に少なくとも部分的に基づいて、最もパンクチャされたコードブロックにおけるパフォーマンスを計算しうる。パフォーマンス推定構成要素３０４は、パフォーマンス判定基準を符号化構成要素２０４へ通信しうる。符号化構成要素２０４は、パフォーマンス判定基準に少なくとも部分的に基づいてＭＣＳを選択しうる。
【誤訳訂正７】
【訂正対象書類名】明細書
【訂正対象項目名】００４３
【訂正方法】変更
【訂正の内容】
【００４３】
例えば、パフォーマンス推定構成要素３０４が、所与のＭＣＳを用いて、しきいレベル未満の、最もパンクチャされたコードブロックのパフォーマンス判定基準を推定する場合、符号化構成要素２０４は、推定されたパフォーマンス・メトリックを少なくともしきいレベルに改善する、関連するデバイス（例えば、レガシー・デバイス１０４および／または１０６）のためのＭＣＳを選択するか、または、修正しうる。さらに、別の例において、パフォーマンス推定構成要素３０４は、パンクチャすることなく、最もパンクチャされたコードブロックの推定されたパフォーマンス判定基準からのしきい差分に少なくとも部分的に基づいて、ＭＣＳを選択または修正しうる。１つの例において、パフォーマンス推定構成要素３０４は、（例えば、コードブロックに適用されたような）パンクチャ・パターンに少なくとも部分的に基づいて、所与のＭＣＳを用いて符号化されたコードブロックのうちの１または複数の期待される誤り率を判定しうる。そして、期待される誤り率に少なくとも部分的に基づいて、ＭＣＳを選択しうる。したがって、例えば、符号化構成要素２０４は、最大のＭＣＳを考慮しうる。そして、パフォーマンス推定構成要素３０４は、デバイス（例えば、レガシー・デバイス１０４および／またはデバイス１０６）のジオメトリまたは１または複数の判定基準、パンクチャ・パターン等を与えられた最も大きいＭＣＳの期待される誤り率を決定しうる。誤り率がしきいレベル（例えば、１０％）を超えている場合、符号化構成要素２０４は、パフォーマンス推定構成要素３０４が、期待される誤り率が、しきいレベル以下であると判定するＭＣＳに達するまで、次に大きなＭＣＳを選択するという具合である。
【誤訳訂正８】
【訂正対象書類名】明細書
【訂正対象項目名】００５２
【訂正方法】変更
【訂正の内容】
【００５２】
図８に移って、パンクチャにしたがってリソースを割り当てることを容易にする方法８００の例が例示される。８０２では、異種の技術の信号を送信するための１または複数のデータ・リソース要素が決定されうる。８０４では、デバイスと通信することに関連する１または複数のパラメータが取得されうる。説明するように、１または複数のパラメータは、デバイスがレガシー・デバイスであるか、デバイスに割り当てられた帯域幅要件、データ・レート要件、または、デバイスのＱｏＳ要件、デバイスのランクまたはジオメトリ等に関連しうる。８０６では、リソースは、１または複数のパラメータに少なくとも部分的に基づいて、１または複数のデータ・リソース要素を回避するようにデバイスへスケジュールされうる。したがって、説明するように、例えば、他のデバイスまたはしきいレベルに関して高い帯域幅要件、データ・レート要件、またはＱｏＳ要件を持つデバイスは、パンクチャに関連するものとは異なるデータ・リソース要素にスケジュールされうる。一方、その他のデバイスも、このようなリソースにスケジュールされうる。
【誤訳訂正９】
【訂正対象書類名】明細書
【訂正対象項目名】００７４
【訂正方法】変更
【訂正の内容】
【００７４】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。
【誤訳訂正１０】
【訂正対象書類名】明細書
【訂正対象項目名】００７５
【訂正方法】変更
【訂正の内容】
【００７５】
さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
以下に、出願当初の特許請求の範囲に記載された発明を付記する。
［発明１］
無線通信のための方法であって、
異種の技術の信号を抑制または送信するために、１または複数のデータ・リソース・ブロックにおける複数のデータ・リソース要素のうちのパンクチャされたセットを決定することと、
前記複数のデータ・リソース要素のうちのパンクチャされたセットに少なくとも部分的に基づいて、前記複数のデータ・リソース要素の一部を、１または複数のデバイスへ割り当てることと、
を備える方法。
［発明２］
前記複数のデータ・リソース要素のうちのパンクチャされたセットに少なくとも部分的に基づいて、前記複数のデータ・リソース要素の一部においてデータを符号化するための変調および符号化スキーム（ＭＣＳ）を選択すること、をさらに備える発明１に記載の方法。
［発明３］
前記複数のデータ・リソース要素にマップされた１または複数のコードブロックの期待されるパフォーマンスを計算することをさらに備え、
前記ＭＣＳを選択することはさらに、前記期待されたパフォーマンスに少なくとも部分的に基づく、発明２に記載の方法。
［発明４］
１または複数のコードブロックのうち、前記複数のデータ・リソース要素のうちのパンクチャされたセットのうちの最も大きな部分を含むコードブロックを決定することをさらに備え、
前記期待されるパフォーマンスを計算することは、前記コードブロックの期待されるパフォーマンスを計算することを含む、発明３に記載の方法。
［発明５］
前記期待されるパフォーマンスを計算することはさらに、前記ＭＣＳを用いて前記１または複数のコードブロックの期待される誤り率を決定することに少なくとも部分的に基づく、発明３に記載の方法。
［発明６］
前記複数のデータ・リソース要素を割り当てることはさらに、前記１または複数のデバイスのランク、サービス品質、形状、または、選択された変調および符号化スキーム（ＭＣＳ）に少なくとも部分的に基づく、発明１に記載の方法。
［発明７］
前記複数のデータ・リソース要素を割り当てることはさらに、前記１または複数のデバイスが、前記異種の技術のチャネル状態情報基準信号（ＣＳＩ−ＲＳ）を処理できるかに少なくとも部分的に基づく、発明１に記載の方法。
［発明８］
前記複数のデータ・リソース要素のうちのパンクチャされたセットは、前記複数のデータ・リソース要素にわたって実質的に等しく分散される、発明１に記載の方法。
［発明９］
前記１または複数のデバイスに関連するデータを符号化するために選択された変調および符号化スキーム（ＭＣＳ）に少なくとも部分的に基づいて、前記複数のデータ・リソース要素のうちのパンクチャされたセットを選択すること、をさらに備える発明１に記載の方法。
［発明１０］
前記選択することは、所与の期間中、動的に実行される、発明９に記載の方法。
［発明１１］
無線通信のための装置であって、
異種の技術の信号を抑制または送信するために、１または複数のデータ・リソース・ブロックにおける複数のデータ・リソース要素のパンクチャされたセットを決定し、
前記複数のデータ・リソース要素のうちのパンクチャされたセットに少なくとも部分的に基づいて、前記複数のデータ・リソース要素の一部を、１または複数のデバイスへ割り当てる、
ように構成された少なくとも１つのプロセッサを備える、装置。
［発明１２］
前記少なくとも１つのプロセッサはさらに、前記複数のデータ・リソース要素のうちのパンクチャされたセットに少なくとも部分的に基づいて、前記複数のデータ・リソース要素の一部においてデータを符号化するための変調および符号化スキーム（ＭＣＳ）を選択するように構成された、発明１１に記載の装置。
［発明１３］
前記少なくとも１つのプロセッサはさらに、前記複数のデータ・リソース要素にマップされた１または複数のコードブロックの期待されるパフォーマンスを決定し、
前記少なくとも１つのプロセッサはさらに、前記期待されたパフォーマンスに少なくとも部分的に基づいて前記ＭＣＳを選択する、発明１２に記載の装置。
［発明１４］
前記少なくとも１つのプロセッサはさらに、前記１または複数のコードブロックのうち、前記複数のデータ・リソース要素のパンクチャされたセットのうちの最も大きな部分を含むコードブロックを決定するように構成され、
前記少なくとも１つのプロセッサは、少なくとも、前記コードブロックの期待されるパフォーマンスを決定することによって、前記期待されるパフォーマンスを決定する、発明１３に記載の装置。
［発明１５］
前記少なくとも１つのプロセッサはさらに、前記ＭＣＳを用いて前記１または複数のコードブロックの期待される誤り率を決定することに少なくとも部分的に基づいて、前記期待されるパフォーマンスを決定する、発明１３に記載の装置。
［発明１６］
前記少なくとも１つのプロセッサはさらに、前記１または複数のデバイスのランク、サービス品質、形状、または、選択された変調および符号化スキーム（ＭＣＳ）に少なくとも部分的に基づいて、前記複数のデータ・リソース要素を割り当てる、発明１１に記載の装置。
［発明１７］
前記少なくとも１つのプロセッサはさらに、前記１または複数のデバイスが、前記異種の技術のチャネル状態情報基準信号（ＣＳＩ−ＲＳ）を処理できるかに少なくとも部分的に基づいて、前記複数のデータ・リソース要素を割り当てる、発明１１に記載の装置。
［発明１８］
前記複数のデータ・リソース要素のうちのパンクチャされたセットは、前記複数のデータ・リソース要素にわたって実質的に等しく分散される、発明１１に記載の装置。
［発明１９］
前記少なくとも１つのプロセッサはさらに、前記１または複数のデバイスに関連するデータを符号化するために選択された変調および符号化スキーム（ＭＣＳ）に少なくとも部分的に基づいて、前記複数のデータ・リソース要素のうちのパンクチャされたセットを選択するように構成された、発明１１に記載の装置。
［発明２０］
前記少なくとも１つのプロセッサは、前記複数のデータ・リソース要素のパンクチャされたセットを動的に選択する、発明１９に記載の装置。
［発明２１］
無線通信のための装置であって、
異種の技術の信号を抑制または送信するために、１または複数のデータ・リソース・ブロックにおける複数のデータ・リソース要素のうちのパンクチャされたセットを決定する
手段と、
前記複数のデータ・リソース要素のうちのパンクチャされたセットに少なくとも部分的に基づいて、前記複数のデータ・リソース要素の一部を、１または複数のデバイスへ割り当てる手段と、
を備える装置。
［発明２２］
前記複数のデータ・リソース要素のうちのパンクチャされたセットに少なくとも部分的に基づいて、前記複数のデータ・リソース要素の一部においてデータを符号化するための変調および符号化スキーム（ＭＣＳ）を選択する手段をさらに備える、発明２１に記載の装置。
［発明２３］
前記複数のデータ・リソース要素にマップされた１または複数のコードブロックの期待されるパフォーマンスを計算する手段をさらに備え、
前記選択する手段は、前記期待されたパフォーマンスに少なくとも部分的に基づいて前記ＭＣＳを選択する、発明２２に記載の装置。
［発明２４］
１または複数のコードブロックのうち、前記複数のデータ・リソース要素のパンクチャされたセットのうちの最も大きな部分を含むコードブロックを決定する手段をさらに備え、
前記計算する手段は、前記コードブロックの期待されるパフォーマンスを計算する、発明２３に記載の装置。
［発明２５］
前記計算する手段はさらに、前記ＭＣＳを用いて前記１または複数のコードブロックの期待される誤り率を決定することに少なくとも部分的に基づいて、前記期待されるパフォーマンスを計算する、発明２３に記載の装置。
［発明２６］
前記割り当てる手段はさらに、前記１または複数のデバイスのランク、サービス品質、形状、または、選択された変調および符号化スキーム（ＭＣＳ）に少なくとも部分的に基づいて、前記複数のデータ・リソース要素を割り当てる、発明２１に記載の装置。
［発明２７］
前記割り当てる手段はさらに、前記１または複数のデバイスが、前記異種の技術のチャネル状態情報基準信号（ＣＳＩ−ＲＳ）を処理できるかに少なくとも部分的に基づいて、前記複数のデータ・リソース要素を割り当てる、発明２１に記載の装置。
［発明２８］
前記複数のデータ・リソース要素のうちのパンクチャされたセットは、前記複数のデータ・リソースにわたって実質的に等しく分散される、発明２１に記載の装置。
［発明２９］
前記決定する手段はさらに、前記１または複数のデバイスに関連するデータを符号化するために選択された変調および符号化スキーム（ＭＣＳ）に少なくとも部分的に基づいて、前記複数のデータ・リソース要素のうちのパンクチャされたセットを選択する、発明２１に記載の装置。
［発明３０］
前記決定する手段は、所与の期間において、前記複数のデータ・リソース要素のうちのパンクチャされたセットを動的に選択する、発明２９１に記載の装置。
［発明３１］
コンピュータ・プログラム製品であって、
少なくとも１つのコンピュータに対して、異種の技術の信号を抑制または送信するために、１または複数のデータ・リソース・ブロックにおける複数のデータ・リソース要素のうちのパンクチャされたセットを決定させるための命令群と、
前記少なくとも１つのコンピュータに対して、複数のデータ・リソース要素のうちのパンクチャされたセットに少なくとも部分的に基づいて、複数のデータ・リソース要素の一部を、１または複数のデバイスへ割り当てさせるための命令群と、
を備えるコンピュータ読取可能な記憶媒体を備える、コンピュータ・プログラム製品。
［発明３２］
前記コンピュータ読取可能な記憶媒体はさらに、前記少なくとも１つのコンピュータに対して、前記複数のデータ・リソース要素のうちのパンクチャされたセットに少なくとも部分的に基づいて、前記複数のデータ・リソース要素の一部においてデータを符号化するための変調および符号化スキーム（ＭＣＳ）を選択させるための命令群を備える、発明３１に記載のコンピュータ・プログラム製品。
［発明３３］
前記コンピュータ読取可能な記憶媒体はさらに、前記少なくとも１つのコンピュータに対して、前記複数のデータ・リソース要素にマップされた１または複数のコードブロックの期待されるパフォーマンスを決定させるための命令群を備え、
前記少なくとも１つのコンピュータに対して選択させるための命令群はさらに、前記期待されたパフォーマンスに少なくとも部分的に基づいて前記ＭＣＳを選択する、発明３２に記載のコンピュータ・プログラム製品。
［発明３４］
前記コンピュータ読取可能な記憶媒体はさらに、前記少なくとも１つのコンピュータに対して、前記１または複数のコードブロックのうち、前記複数のデータ・リソース要素のパンクチャされたセットのうちの最も大きな部分を含むコードブロックを決定させるための命令群を備え、
前記少なくとも１つのコンピュータに対して決定させるための命令群は、少なくとも、前記コードブロックの期待されるパフォーマンスを決定することによって、前記期待されるパフォーマンスを決定する、発明３３に記載のコンピュータ・プログラム製品。
［発明３５］
前記少なくとも１つのコンピュータに対して決定させるための命令群はさらに、前記ＭＣＳを用いて前記１または複数のコードブロックの期待される誤り率を決定することに少なくとも部分的に基づいて、前記期待されるパフォーマンスを決定する、発明３３に記載のコンピュータ・プログラム製品。
［発明３６］
前記少なくとも１つのコンピュータに対して割り当てさせるための命令群はさらに、前記１または複数のデバイスのランク、サービス品質、形状、または、選択された変調および符号化スキーム（ＭＣＳ）に少なくとも部分的に基づいて、前記複数のデータ・リソース要素を割り当てる、発明３１に記載のコンピュータ・プログラム製品。
［発明３７］
前記少なくとも１つのコンピュータに対して割り当てさせるための命令群はさらに、前記１または複数のデバイスが、前記異種の技術のチャネル状態情報基準信号（ＣＳＩ−ＲＳ）を処理できるかに少なくとも部分的に基づいて、前記複数のデータ・リソース要素を割り当てる、発明３１に記載のコンピュータ・プログラム製品。
［発明３８］
前記複数のデータ・リソース要素のうちのパンクチャされたセットは、前記複数のデータ・リソースにわたって実質的に等しく分散される、発明３１に記載のコンピュータ・プログラム製品。
［発明３９］
前記コンピュータ読取可能な記憶媒体はさらに、前記少なくとも１つのコンピュータに対して、前記１または複数のデバイスに関連するデータを符号化するために選択された変調および符号化スキーム（ＭＣＳ）に少なくとも部分的に基づいて、前記複数のデータ・リソース要素のうちのパンクチャされたセットを選択させるための命令群を備える、発明３１に記載のコンピュータ・プログラム製品。
［発明４０］
前記少なくとも１つのコンピュータに対して選択させるための命令群は、前記複数のデータ・リソース要素のうちのパンクチャされたセットを動的に選択する、発明３９に記載のコンピュータ・プログラム製品。